(57)【要約】【課題】  ノイズが少なく、力率が良く、簡易、小型で変換効率の良い、出力が安定しているプッシュプルスイッチング電力変換装置を提供する。【解決手段】  本発明のプッシュプルスイッチング電力変換装置では、直流電源の高低の出力端子間に接続された第１のスイッチング素子、第１のトランスの１次巻線、第２のトランスの１次巻線及び第２のスイッチング素子をこの順に有する直列回路を備えている。直流電源の高低の出力端子間に接続された２個のコンデンサでなる直列回路を備えている。両直列回路の中点間を結ぶ電流共振用経路部分が存在する。第１のトランスの１次巻線の高電位端子と、第２のトランスの１次巻線の低電位端子との電位差が該当する、電圧共振によるスイッチング電圧の波形を正弦波とする。第１のトランスの１次巻線電流と、第２のトランスの１次巻線電流との合成電流が該当する、電流共振によるスイッチング電流の波形も正弦波とする。【選択図】      図１
2006050700.tif 000002
【特許請求の範囲】
【請求項１】
直流電源の高低の出力端子間に接続された、第１のスイッチング素子、第１のトランスの１次巻線、第２のトランスの１次巻線及び第２のスイッチング素子をこの順に有する第１の直列回路と、
上記直流電源の高低の出力端子間に接続された第１及び第２のコンデンサでなる第２の直列回路と、
上記第１のスイッチング素子に並列に接続された第３のコンデンサと、
上記第２のスイッチング素子に並列に接続された第４のコンデンサと、
上記第１の直列回路の中点と、上記第２の直列回路の中点とを結ぶ電流共振用経路部分と、
上記第１の直列回路の高電位側の半分、上記電流共振用経路部分、及び、上記第２の直列回路の低電位側の半分でなる電流経路上に設けられた第１のコイルと、
上記第２の直列回路の高電位側の半分、上記電流共振用経路部分、及び、上記第１の直列回路の低電位側の半分でなる電流経路上に設けられた第２のコイルと、
上記第１及び第２のスイッチング素子を相補的にオンオフ制御させる駆動パルスを発生するパルス発生手段と、
上記第１及び又は第２のトランスの２次巻線に誘起された交流電力を直流に変換させる整流平滑手段とを備え、
上記第１のスイッチング手段のオン時に、上記第１のコイルと上記第２のコンデンサで電流共振させると共に、上記第２のスイッチング手段のオン時に、上記第２のコイルと上記第１のコンデンサで電流共振させ、
上記第１のスイッチング手段のオフ時に、上記第３のコンデンサと上記第１のトランスの１次インダクタンスで電圧共振させると共に、上記第２のスイッチング手段のオフ時に、上記第４のコンデンサと上記第２のトランスの１次インダクタンスで電圧共振させ、
スイッチング電圧及びスイッチング電流を正弦波とした
ことを特徴とするプッシュプルスィッチング電力変換装置。
【請求項２】
上記第１及び第２のコイルが、電流共振用経路部分に設けられた共通のコイルであることを特徴とする請求項１に記載のプッシュプルスィッチング電力変換装置。
【請求項３】
上記第１のコイルが、上記第１のトランスの１次側の漏れインダクタンスであり、上記第２のコイルが、上記第２のトランスの１次側の漏れインダクタンスであることを特徴とする請求項１に記載のプッシュプルスィッチング電力変換装置。
【請求項４】
上記第１及び第２のスイッチング素子として、トランジスタを適用すると共に、上記第３及び第４のコンデンサが、トランジスタの内部容量であること、又はトランジスタと並列に取り付けられたコンデンサを特徴とする請求項１〜３のいずれかに記載のプッシュプルスィッチング電力変換装置。
【請求項５】
上記パルス発生手段は、上記第１及び第２のスイッチング素子を共にオフさせることなく、完全な相補的にオンオフ動作させる駆動パルスを発生することを特徴とする請求項１〜４のいずれかに記載のプッシュプルスィッチング電力変換装置。
【発明の詳細な説明】
【技術分野】
【０００１】
本発明はプッシュプルスィッチング電力変換装置に関し、例えば、ＡＣ／ＤＣコンバータやＤＣ／ＤＣコンバータなどの対をなすスイッチング素子を利用した電力変換装置に適用し得るものである。
【背景技術】
【０００２】
対をなすスイッチング素子を備え、各スイッチング素子をオンオフ制御して所望する電力変換を行うスイッチング電源回路においては、各スイッチング素子のオンオフを矩形波パルスで制御している（例えば特許文献１参照）。
【０００３】
また、このようなスイッチング電源回路では、対をなすスイッチング素子間で貫通電流が流れないようにするデッドタイム制御を行ったり、矩形波パルスの論理レベルの変換タイミングを捉えるため、ある点での電圧（又は電流）の０クロスを検出してタイミング制御（０クロス制御）を行ったりしていた。
【特許文献１】特開平４−３６４３６２号公報
【発明の開示】
【発明が解決しようとする課題】
【０００４】
従来のスイッチング電源回路では、上述したように、デッドタイム制御回路や０クロス制御回路が必須であり、構成が複雑化している。また、スイッチングに供する信号波形が矩形パルス波形であるため、スイッチングノイズが発生する恐れがあり、その点で電力変換効率が抑えられるという課題がある。
【０００５】
本発明は、上述のような課題に鑑みなされたものであり、ノイズが少なく、力率が良く、簡易、小型で効率の良いプッシュプルスイッチング電力変換装置を提供しようとしたものである。
【課題を解決するための手段】
【０００６】
本発明のプッシュプルスィッチング電力変換装置は、（１）直流電源の高低の出力端子間に接続された、第１のスイッチング素子、第１のトランスの１次巻線、第２のトランスの１次巻線及び第２のスイッチング素子をこの順に有する第１の直列回路と、（２）上記直流電源の高低の出力端子間に接続された第１及び第２のコンデンサでなる第２の直列回路と、（３）上記第１のスイッチング素子に並列に接続された第３のコンデンサと、（４）上記第２のスイッチング素子に並列に接続された第４のコンデンサと、（５）上記第１の直列回路の中点と、上記第２の直列回路の中点とを結ぶ電流共振用経路部分と、（６）上記第１の直列回路の高電位側の半分、上記電流共振用経路部分、及び、上記第２の直列回路の低電位側の半分でなる電流経路上に設けられた第１のコイルと、（７）上記第２の直列回路の高電位側の半分、上記電流共振用経路部分、及び、上記第１の直列回路の低電位側の半分でなる電流経路上に設けられた第２のコイルと、（８）上記第１及び第２のスイッチング素子を相補的にオンオフ制御させる駆動パルスを発生するパルス発生手段と、（９）上記第１及び又は第２のトランスの２次巻線に誘起された交流電力を直流に変換させる整流平滑手段とを備え、（１０）上記第１のスイッチング手段のオン時に、上記第１のコイルと上記第２のコンデンサで電流共振させると共に、上記第２のスイッチング手段のオン時に、上記第２のコイルと上記第１のコンデンサで電流共振させ、（１１）上記第１のスイッチング手段のオフ時に、上記第３のコンデンサと上記第１のトランスの１次インダクタンスで電圧共振させると共に、上記第２のスイッチング手段のオフ時に、上記第４のコンデンサと上記第２のトランスの１次インダクタンスで電圧共振させ、（１２）スイッチング電圧及びスイッチング電流を正弦波としたことを特徴とする。
【発明の効果】
【０００７】
本発明のプッシュプルスィッチング電力変換装置によれば、スイッチング電圧及びスイッチング電流が共に正弦波であるので、原理的にスイッチング高調波ノイズが非常に少なく、プッシュプルスイッチング構成により力率が良く、簡易、小型で変換効率の良い、出力が安定している装置を実現できる。
【発明を実施するための最良の形態】
【０００８】
（Ａ）第１の実施形態
以下、本発明によるプッシュプルスィッチング電力変換装置の第１の実施形態を説明する。なお、第１実施形態のプッシュプルスィッチング電力変換装置は、直流入力、直流出力のもの、すなわち、直流電圧を他の直流電圧に変換するＤＣ／ＤＣコンバータである。
【０００９】
図１は、第１の実施形態のプッシュプルスィッチング電力変換装置の全体構成を示す回路図である。図１において、第１の実施形態の電力変換装置（ＤＣ／ＤＣコンバータ）１は、直流入力源２、パルス発生器３、負荷４、スイッチング素子Ｑ１及びＱ２、コンデンサＣ１〜Ｃ５と、トランスＴ１及びＴ２と、ダイオードＤ１及びＤ２とを有する。
【００１０】
直流入力源２は、電池やバッテリーなどであっても良く、また、商用電源を直流電源に変換するものであっても良い。後者の場合であれば、当該電力変換装置は、ＡＣ／ＤＣコンバータになっている。図１においては、直流入力源２の高電位側及び低電位側の端子（直流入力端子）のそれぞれに対し、符号ＩＮＰ、ＩＮＮを付与している。
【００１１】
スイッチング素子Ｑ１は、例えば、ＰＭＯＳトランジスタでなり、スイッチング素子Ｑ２は、例えば、ＮＭＯＳトランジスタでなる。直流入力端子ＩＮＰ、ＩＮＮ間に、スイッチング素子Ｑ１のソース、ドレイン、トランスＴ１の１次巻線、トランスＴ２の１次巻線、スイッチング素子Ｑ２のソース、ドレインが直列に接続されている。また、直流入力端子ＩＮＰ、ＩＮＮ間に、コンデンサＣ１及びＣ２が直列に接続されている。スイッチング素子Ｑ１のソース、ドレイン間に並列にコンデンサＣ３（Ｑ１内部容量含む）が接続され、スイッチング素子Ｑ２のソース、ドレイン間に並列にコンデンサＣ４（Ｑ２内部容量含む）が接続されている。トランスＴ１の１次巻線とトランスＴ２の１次巻線との接続点は、コンデンサＣ１及びＣ２の接続点に対し、コイルＬ１を介して接続されている。
【００１２】
パルス発生器３は、内部構成の説明は省略するが、所定周波数（例えば２５０ｋＨｚ）を有するデューティ比が５０％の方形波パルスを発振し、２個のスイッチング素子Ｑ１及びＱ２のゲートに印加するものである。なお、スイッチング素子Ｑ２として、スイッチング素子Ｑ１と同様なＰＭＯＳトランジスタが適用されている場合であれば、パルス発生器３が相補変化する一対の方形波パルスを発振し、それぞれを別個のスイッチング素子Ｑ１、Ｑ２に与えるようにしても良い。
【００１３】
コンデンサＣ１及びＣ２は電流共振のためのものであって、コンデンサＣ１及びＣ２は同等のものである。
【００１４】
スイッチング素子Ｑ１及びＱ２は、ＰＭＯＳトランジスタ、ＮＭＯＳトランジスタという相違はあるが、スイッチング特性が同等のものである。
【００１５】
コンデンサＣ３及びＣ４は電圧共振のためのものであって、コンデンサＣ３及びＣ４は同じ特性のものである。コンデンサＣ３及びＣ４は、ディスクリート部品として回路に組み込まれたものであっても良く、また、スイッチング素子Ｑ１及びＱ２の内部容量として、回路要素になっていても良い。
【００１６】
トランスＴ１及びＴ２は、同一特性のものであり、１次巻線及び２次巻線の巻き方向が、１次巻線への印加電圧の正負方向と、２次巻線の誘起電圧の正負方向とが同一になるように選定されている（図１トランスの極性マーク「●」参照）。トランスＴ１及びＴ２の１次巻線に貫流電流が流れたと仮定した場合において、各１次巻線への印加電圧の正負方向が同じになるように、２個のトランスＴ１及びＴ２の巻き方向が選定されている。トランスＴ１及びＴ２における１次巻線及び２次巻線の巻線比は任意である。
【００１７】
トランスＴ１の２次巻線の一端はダイオードＤ１のアノードに接続され、トランスＴ１の２次巻線の他端は電解コンデンサＣ５のマイナス端子に接続されている。トランスＴ２の２次巻線の一端はダイオードＤ２のアノードに接続され、トランスＴ２の２次巻線の他端は電解コンデンサＣ５のマイナス端子に接続されている。２個のダイオードＤ１及びＤ２のカソードは接続されており、この接続点に、コンデンサＣ５のプラス端子に接続されている。このコンデンサＣ５に負荷４が並列に接続されている。
【００１８】
以上のような構成を有する第１の実施形態のプッシュプルスィッチング電力変換装置（ＤＣ／ＤＣコンバータ）１において、各回路素子の特性は、スイッチング素子Ｑ１及びＱ２がデューティ比５０％の矩形波パルスで相補的にオンオフ動作したときに、スイッチング電圧及びスイッチング電流共に、正弦波となるように選定されている。
【００１９】
ここで、この第１の実施形態の場合、直流入力源２の高電位側端子ＩＮＰから流れ出た電流が直流入力源２の低電位側端子ＩＮＮに戻ってくる電流経路としては、図２に実線で示すトランスＴ１の１次巻線を通る第１の電流経路ｉ１と、図２に破線実線で示すトランスＴ２の１次巻線を通る第２の電流経路ｉ２とがある。第１の電流経路は、直流入力源２の高電位側端子ＩＮＰ−スイッチング素子Ｑ１（コンデンサＣ３）−トランスＴ１の１次巻線−コイルＬ１−コンデンサＣ２−直流入力源２の低電位側端子ＩＮＮである。第２の電流経路は、直流入力源２の高電位側端子ＩＮＰ−コンデンサＣ１−コイルＬ１−トランスＴ２の１次巻線−スイッチング素子Ｑ２（コンデンサＣ４）−直流入力源２の低電位側端子ＩＮＮである。両電流経路ではコイルＬ１が共通であるので、コイルＬ１には、第１の電流経路での電流ｉ１と第２の電流経路での電流ｉ２との合成電流ｉ３が流れる。なお、各電流ｉ１〜ｉ３は、コイルＬ１からみて、図２の左から右に流れているときを正とする。
【００２０】
次に、第１の実施形態の電力変換装置（ＤＣ／ＤＣコンバータ）１の動作を、図３の信号波形図を参照しながら説明する。但し、トランスＴ１の１次巻線のスイッチング素子Ｑ１との接続点（図２の点ｂ）の電位をＶ１とし、トランスＴ２の１次巻線のスイッチング素子Ｑ２との接続点（図２の点ｄ）の電位をＶ２とし、これら接続点間の電位差（電圧）をＶ３として説明する。
【００２１】
パルス発生器３からの方形波パルスによって、スイッチング素子Ｑ１がオンでスイッチング素子Ｑ２がオフの状態になっているときには、スイッチング素子Ｑ１がオンであるので、電位Ｖ１は、図３に示すように、直流入力源２の高電位側端子ＩＮＰ（図２の点ａ）の電位に固定され、一方、電位Ｖ２は、トランスＴ２の１次インダクタンスとコンデンサＣ４の容量とによる電圧共振機能により、図３に示すように、正弦波状に変化する。その結果、両トランスＴ１及びＴ２の１次巻線の直列回路への印加電圧Ｖ３も、電位Ｖ２の変化に応じて正弦波状に変化する。なお、図３における電圧Ｖ３については、その正弦波状の変化の主たる原因となっている方の電位名（Ｖ２又はＶ１）を記載している。
【００２２】
一方、パルス発生器３からの方形波パルスによって、スイッチング素子Ｑ１がオフでスイッチング素子Ｑ２がオンの状態になっているときには、スイッチング素子Ｑ２がオンであるので、電位Ｖ２は、図３に示すように、直流入力源２の低電位側端子ＩＮＮ（図２の点ｂ）の電位に固定され、一方、電位Ｖ１は、トランスＴ１の１次インダクタンスとコンデンサＣ３の容量とによる電圧共振機能により、図３に示すように、正弦波状に変化する。その結果、両トランスＴ１及びＴ２の１次巻線の直列回路への印加電圧Ｖ３も、電位Ｖ１の変化に応じて正弦波状に変化する。
【００２３】
スイッチング素子Ｑ１及びＱ２の相補的なオンオフ制御が繰り返されることにより、電圧Ｖ３は、図３に示すような正弦波波形となる。
【００２４】
また、パルス発生器３からの方形波パルスによって、スイッチング素子Ｑ１がオンでスイッチング素子Ｑ２がオフの状態に切り替わると、電流経路は、トランスＴ１の１次巻線を通る上述した第１の電流経路を中心にするように切り替わって電流ｉ１は直流入力源２からのエネルギーで流れるが、トランスＴ２の１次巻線を通る上述した第２の電流経路については、コイルＬ１（やトランスＴ１の１次巻線の漏れインダクタンス）によるエネルギーの蓄積から放出への切り替わりが行われて電流ｉ２は蓄積エネルギーの放出で流れようとする。
【００２５】
一方、パルス発生器３からの方形波パルスによって、スイッチング素子Ｑ１がオフでスイッチング素子Ｑ２がオンの状態に切り替わると、電流経路は、トランスＴ２の１次巻線を通る上述した第２の電流経路を中心にするように切り替わって電流ｉ２は直流入力源２からのエネルギーで流れるが、トランスＴ１の１次巻線を通る上述した第１の電流経路については、コイルＬ１（やトランスＴ２の１次巻線の漏れインダクタンス）によるエネルギーの蓄積から放出への切り替わりが行われて電流ｉ１は蓄積エネルギーの放出で流れようとする。
【００２６】
そして、このような主たる電流経路の切り替わりごとに、コイルＬ１及びコンデンサＣ２、又は、コイルＬ１及びコンデンサＣ１の一方が電流共振機能を発揮し、コイルＬ１を流れる電流ｉ３（：ｉ１＋ｉ２）は、図３に示すように、正弦波波形をとる。すなわち、スイッチング素子Ｑ１のオン時には、コイルＬ１及びコンデンサＣ２によって電流ｉ１に対して電流共振し、スイッチング素子Ｑ２のオン時には、コイルＬ１及びコンデンサＣ１によって電流ｉ２に対して電流共振し、電流ｉ３が正弦波波形をとる。
【００２７】
なお、図３から明らかなように、電圧Ｖ３及び電流ｉ３の位相差がほぼπ／２であるので、力率はほぼ１である。
【００２８】
上述したような電圧Ｖ３の正弦波変化により、各トランスＴ１、Ｔ２の２次巻線には、正弦波波形の起電圧Ｖ１１、Ｖ２１が誘起される。トランスＴ１の誘起電圧Ｖ１１はダイオードＤ１によって半波整流され、Ｖ１１のマイナス電位分が除去され、また、トランスＴ２の誘起電圧Ｖ２１はダイオードＤ２によって半波整流され、Ｖ１２のマイナス電位分が除去され、それぞれの直流プラス電位分が結線で合成された点ｅの電圧は、図３に示すように、あたかも直流成分のように脈流のない波形を有する。このような直流的な合成波形が、コンデンサＣ５によってさらに平滑されて所望する直流出力電圧が負荷４に供給される。よってコンデンサＣ５は非常に小さな容量でも整流することができる。
【００２９】
上記第１の実施形態のプッシュプルスイッチング電力変換装置（ＤＣ／ＤＣコンバータ）によれば、以下の効果を奏することができる。
【００３０】
第１の実施形態の電力変換装置によれば、スイッチング電圧及びスイッチング電流共に正弦波であり、このような正弦波交流を電源トランスで変換しているため、スイッチング電圧及び電流が矩形波の場合に比較してスイッチング高調波ノイズを格段的に少なくすることができる。
【００３１】
また、電源トランスの１次側で正弦波共振を行っていることにより、２次側へ、巻数に応じた電圧、電流が伝達され、２次側におけるノイズの発生を抑えることができる。
【００３２】
さらに、スイッチング電圧及びスイッチング電流が共に正弦波であるため、デッドタイム制御回路や０クロス制御回路などを省略することができ、構成を簡素化することができる。また、デッドタイムが不要であるので、力率が良く、ノイズを少なくできる。
【００３３】
さらにまた、電圧共振機能及び電流共振機能も発揮される構成となっているので、効率良く電力を変換することができ、また、プッシュプルスイッチング構成により力率を限りなく１に近づける為、スイッチング電流のピーク値を下げることが出来、さらなる効率アップを図ることができる。
【００３４】
また、プッシュプルスィッチングにて２つのトランスを使うため、それぞれのトランスは１／２のパワーで良く、小さなもので構成でき、小型化できる。
【００３５】
なお、第１の実施形態の場合、小容量の電力変換から大容量の電力変換まで、同じ原理で動作させることができるというメリットもある。
【００３６】
（Ｂ）第２の実施形態
次に、本発明によるプッシュプルスィッチング電力変換装置の第２の実施形態を、図面を省略するが、第１の実施形態との相違点を中心に簡単に説明する。
【００３７】
第１の相違点は、電流共振に供するコイルが、第１の実施形態の場合には、第１及び第２の電流経路の共通経路に設けられたコイルＬ１であったが、第２の実施形態の場合には、トランスＴ１、Ｔ２の１次巻線に直列に設けられた、各電流経路別のコイルである点である。
【００３８】
第２の相違点は、高電位側のスイッチング素子Ｑ１も、低電位側のスイッチング素子Ｑ２と同じＮＭＯＳトランジスタを適用している点である。これにより、スイッチング素子Ｑ１及びＱ２として、スペックが揃っているものが入手し易い。
【００３９】
第３の相違点は、スイッチング素子Ｑ１にＮＭＯＳトランジスタを適用したことに伴い、そのスイッチング素子Ｑ１を確実に駆動できるように、パルス発生器３の出力を反転すると共に、絶縁機能を果たす絶縁パルストランスを設けている点である。
【００４０】
第４の相違点は、スイッチング素子Ｑ１及びＱ２のそれぞれに対し、オンオフ動作の切替時での高圧からスイッチング素子Ｑ１及びＱ２を保護するための保護回路を設けている点である。低電位側の高圧保護回路は、高電位側の高圧保護回路との対称性のために設けられており、省略することもできる。
【００４１】
以上のような相違点を有するが、スイッチング動作について見ると、第１の実施形態と同様である。すなわち、電流共振および電圧共振し、スイッチング電圧も、スイッチング電流も正弦波波形をとる。
【００４２】
なお、トランスＴ１及びＴ２の２次側の動作は、第１の実施形態の電力変換装置（ＤＣ／ＤＣコンバータ）１と同様である。
【００４３】
第２の実施形態の電力変換装置（ＤＣ／ＤＣコンバータ）によっても、スイッチング電圧及びスイッチング電流の波形が共に、正弦波であるので、第１の実施形態と同様な効果を奏することができる。
【００４４】
第２の実施形態の場合、一対のスイッチング素子共に、ＮＭＯＳトランジスタを適用しているので、特性が揃ったものを適用し易く、製品ばらつきを、第１の実施形態より抑えることができる。
【００４５】
（Ｃ）他の実施形態
本発明の技術思想は、上述した各実施形態の構成のものに限定されず、以下に例示するような変形実施形態を挙げることができる。
【００４６】
第１及び第２の実施形態では電流共振要素のインダクタンス成分がコイルであるものを示したが、電流共振要素のインダクタンス成分として、トランスＴ１、Ｔ２の１次側での漏れインダクタンスを適用するようにしても良い。
【００４７】
また、上記各実施形態では、スイッチング素子Ｑ１、Ｑ２がＭＯＳトランジスタのものを示したが、他のユニポーラトランジスタであっても良く、また、バイポーラトランジスタであっても良い。また、スイッチング素子Ｑ１、Ｑ２のそれぞれが、複数のトランジスタのダーリントン接続されたものであっても良い。さらに、サイリスタやＩＧＢＴなどの他のスイッチング素子を適用しても良い。
【００４８】
さらに、上記各実施形態では、スイッチング素子Ｑ１及びＱ２へのオンオフ制御信号がデューティ比が５０％であってデッドタイムがないものを示したが、デッドタイムを設けるようにしても良い。デッドタイムがあっても、共振機能により、スイッチング電圧及びスイッチング電流はほぼ正弦波となる。なお、正確には正弦波にならないが、ゼロクロスするためロスはない（デッドタイムがない場合に比較すると力率は多少悪くなる）。
【００４９】
なお、上述したように、直流入力源として、ＡＣ／ＤＣ変換部を適用した場合には、当該電力変換装置はＡＣ／ＤＣコンバータとなっている。
【図面の簡単な説明】
【００５０】
【図１】第１の実施形態の電力変換装置の全体構成を示す回路図である。
【図２】第１の実施形態の電圧、電流経路の説明図である。
【図３】第１の実施形態の電力変換装置の各部信号波形図である。
【符号の説明】
【００５１】
１…プッシュプルスイッチング電力変換装置、２…直流入力源、３…パルス発振器、４…負荷、Ｔ１、Ｔ２…トランス、Ｑ１、Ｑ２…スイッチング素子、Ｃ１〜Ｃ５…コンデンサ（Ｃ３はＱ１の内部容量含む、Ｃ４はＱ２の内部容量含む）、Ｄ１、Ｄ２…ダイオード、Ｌ１…コイル。
【図１】
2006050700.tif 000003
【図２】
2006050700.tif 000004
【図３】
2006050700.tif 000005